(57)【要約】【課題】  フランジ部のような突起がなく、カバー端重合部の固定具の防錆を図ることのできる柱状体の保護カバーの取付構造を提供することを目的とする。【解決手段】  保護カバーを柱状体または該柱状体上の防食材周囲に巻き回し締め付け固定する柱状体の保護カバー取付構造において、柱状体または該柱状体上の防食材周囲に巻き回した保護カバー３０の重ね合わせ部の外側端部２９の剛性を高くすること、該保護カバー３０の重ね合わせ部に係止具を貫通させること、係止具を貫通させた後に該係止具の先端部を拡張させると重ね合わさった保護カバー３０どうしが密着させられること、これにより保護カバー３０が柱状体に締め付けられ固定される保護カバー取付構造にある。【選択図】    図１
2005113472.tif 000002
【特許請求の範囲】
【請求項１】
保護カバーを柱状体または該柱状体上の防食材周囲に巻き回し締め付け固定する柱状体の保護カバー取付構造において、
保護カバーの重ね合わせ部の外側端部が剛性高く構成され、該重ね合わせ部に貫通せさせて端部を拡張させた係止具によって密着させられ柱状体に締め付け固定されていることを特徴とする柱状体の保護カバー取付構造。
【請求項２】
保護カバーの重ね合わせ部の外側端部が保護カバーと当て板とで一体成型されていることを特徴とする請求項１記載の柱状体の保護カバー取付構造。
【請求項３】
保護カバーの重ね合わせ部の外側端部に係止具挿入孔が設けられていることを特徴とする請求項１、２記載の柱状体の保護カバー取付構造。
【請求項４】
係止具挿入孔に充填材が充填されて係止具の露出部が目隠しされていることを特徴とする請求項３記載の柱状体の保護カバー取付構造。
【請求項５】
保護カバーと柱状体または該柱状体上の防食材との間に緩衝材が介挿入されていることを特徴とする請求項１から４記載の柱状体の保護カバー取付構造。
【請求項６】
保護カバーの重ね合わせ部の少なくとも先端部にシール材が介装されていることを特徴とする請求項１から５記載の柱状体の保護カバー取付構造。
【請求項７】
保護カバーの重ね合わせ部内側の内面に防食材が装着されていることを特徴とする請求項１から６記載の柱状体の保護カバー取付構造。
【請求項８】
保護カバーの重ね合わせ部の外側端部先端の内面に係止用突起が設けられていることを特徴とする請求項１から７記載の柱状体の保護カバー取付構造。
【請求項９】
柱状体が港湾または河川構造物の鋼管杭であることを特徴とする請求項１から８記載の柱状体の保護カバー取付構造。
【発明の詳細な説明】
【技術分野】
【０００１】
本発明は水中、土中、大気中並びにこれらの境界部分に設置される管、柱、基礎杭等の柱状体周囲を被覆するための保護カバーの取付構造に関し、特に港湾構造物等の鋼管杭の千満帯および飛沫帯を防食する被覆材を保護するカバーの取付構造に関する。
【背景技術】
【０００２】
桟橋、ドルフィン等の海洋構造物の構築材である鋼管杭は、海洋土中に打ち込まれ、海水中を経て海面まで伸びているため、特に、日光照射による温度上昇、豊富な酸素の供給、波浪による保護用付着物の除去等を原因とした飛沫帯や干満帯における、鋼管杭の腐食が激しく、この部分について、確実な防食処理を施す必要がある。
【０００３】
従来より、港湾構造物に用いられる防食工法として、鋼管杭の外周にタンニンなどを含有した下地処理材を塗布し、その外周に、ペトロラタム、タンニンその他の防錆剤を含浸させたテープ状の布を巻き付けて防食材とし、更に、その外周に、該防食材と鋼管杭との密着性を高め、外部の衝撃から保護するため保護カバーを取り付ける塗覆装工法が採用されている。
【０００４】
通常、上記の保護カバーは、熱硬化性樹脂をガラス繊維等で補強した繊維強化プラスチック（ＦＲＰ）を用いて形成され、二分割円周状の保護カバーの両端にアングルを起立設し、一対の保護カバーのアングルに固定用のボルトを貫通し、ボルトとナットで周方向から鋼管杭の防食材を締め付けて、保護カバーを取り付ける構造となっている。
【０００５】
この保護カバーに用いられるＦＲＰは、剛性が高く柔軟性がないため、ＦＲＰ製の保護カバーは、一対のアングルに貫通したボルトとナットの周方向からの締め付け力により、該アングルのエッジを支点とする浮き上がりを生じ、防食材と保護カバーの密着性が低下して、アングルの付け根部分（エッジ部）に隙間を生じ易く、この隙間から海水が浸入して、防食材に含浸されている防錆剤が流出し、短期間で防食効果が失われるという問題があった。また、両端にアングルを付形させるＦＲＰは現場における加工が困難であるという問題もあった。
【０００６】
叙上の両端アングルの難点を解消すべく、種々の改善提案がなされている。すなわち、鋼管杭の防食材と保護カバーとの取り付けを容易かつ強固に行うため、図４に示すように、保護カバー１の胴体部となるシート状のカバー板２と、該カバー板２の両端部位に熱溶着した二つのアングル材３，４を比較的、柔軟性のあるガラス繊維強化熱可塑性樹脂（ＦＲＰ）を用いて形成し、カバー板２を鋼管杭５の防食材６の周囲に巻き回して、カバー板２の一端部２ａと、カバー板２の他端部２ｂとをオーバーラップし、カバー板２の一端部２ａに溶着したアングル材４と、オーバーラップする他端部２ｂを残存形成した位置とに溶着したアングル材３とに、固定用のボルト７を貫通し、該ボルト７をナット８にて締め付けた、取り付け構造となっている（特許文献１参照）。
【０００７】
また、図５に示すように、一対の二つ割りカバー本体９の両端に設けたフランジ部１０同士を、ボルト７とナット８で締め付ける保護カバーの取り付け構造において、カバー本体９は、カバー本体９の腹部（中央部）９ａからフランジ部１０に近づくにつれて、フランジ部１０の付け根部分９ｂの肉厚を、次第に厚肉となるように形成し、カバー本体９の腹部９ａに近づくにつれて柔軟性を増し、フランジ部１０を互いに強くボルト締めても、フランジ部１０近傍が折曲変形して隙間を生じないようにする構造となっている（特許文献２参照）。
【０００８】
しかし、上記改善提案のものにあっては、鋼管杭５の長手方向外径が一定なる前提に立つものであり、実際の外径不整には対応し得ず、これによる締め付け不全の間隙部発生を避けることは無理である。
【０００９】
そこで、アングル(フランジ)を撤去して、版状のカバー端部間を重ね止めするとした叙上の外径不整に対する非対応性と外側に突起するという難点を解消した提案がされている。
【００１０】
すなわち、図６，７に示す如く、円筒上の鋼管杭５の表面防食域に、円筒状の保護カバー１１が防食材、緩衝材を介して巻きつけられ、重ね合わされた端部どうしを固定ボルト１２で締付けて保護カバー１１を鋼管杭５の所定箇所に固定している。
保護カバー１１は両端部とも、その端部近傍から側縁にかけて徐々厚みを増して、その他の部分に比べ剛性が高いものとなっている。そして一方の端部１１ａに側縁１６に沿って一列にナット１３が等間隔に嵌込まれている。ナット１３は内周に雌ねじが形成された偏平な円筒部の一端にフランジが形成されたもので、保護カバー１１の端部１１ａに形成された円穴に内側から嵌込し、オーバーレイまたは接着剤等により固着せしめしたものである。
【００１１】
一方保護カバー１１の他端１１ｂにはナット１３に対応して重ね合わされる位置に長孔１４が穿設されている。長孔１４は周方向に長尺の孔である。かかる保護カバー１１の端部１１ａ、１１ｂの内周面には、該端部に限って発泡体１５が内張りされている。ナット１３が取付けられた側の保護カバー１１の端部１１ａに内張りされた発泡体１５ａは、保護カバー１１の側縁に沿った部分が最も厚く，内周に沿って内側にいくにしたがい徐々に薄くなって適当な処で消失している。
【００１２】
一方長孔１４が穿設された側の保護カバー１１の端部１１ｂに内張りされた発泡体１５ｂは、他方の端部１１ａが重ね合わされる部分が適当な厚さで構成され、その縁部から急に厚みを増し、さらに内周に沿って内側にいくにしたがい徐々に薄くなって適当な処で消失している。端部１１ａを内側にして、他端部１１ｂを外側に重ね合わせ、固定ボルト１２をワッシャー１７を介して長孔１４に貫通させ、ナット１３に螺合し、緊締する。（特許文献３参照）
【００１３】
又、図８，９に示す如く、保護カバー１８の内周に必要によりシート状発泡材を貼り付け、さらに不織布等からなる保持層を接着剤により貼付し、さらにその内側に設けられた防食材１９とによって形成されるのが好ましい実施形態であり、また、保護カバー
１８は、鋼管杭５の径に応じて１枚又は複数枚用いて鋼管杭に巻き付けるとしたものがある。
この保護カバー１８の上に適当な間隔をもってベルト又はゴムバンド等の締め付け具を設け、防食材１９を展圧し、固定する。また、ラップ部リベット等の固定具２０により仮止めされる。リベット等の固定具２０で固定(仮)したラップ部には湾曲した板状又はチャンネル状の長尺保護カバー２１に、硬化性樹脂の封止材２２を予め塗布もしくは含浸しておいたものが取り付けられる。この際、封止材２２が接着する保護カバー１８面には、予め接着用の専用プライマーを塗布しておくことが望ましい。再度ベルト又はバンド等の締め付け具にて長尺保護カバー１８を展圧固定し、硬化性樹脂が硬化するまで保持する。（特許文献４参照）
【００１４】
【特許文献１】特公昭６１−３２４６８号公報(第３頁、第８図)
【特許文献２】実開昭６２−１９０７４６号公報（第４頁、第１図）
【特許文献３】特開平２−１６１０２０号公報（図１、図３)
【特許文献４】特開２００３−１３８５９２号公報（第３、６図）
【発明の開示】
【発明が解決しようとする課題】
【００１５】
叙上諸提案において、図４に示したカバー板２の両端部２ａ，２ｂをオーバーラップし、二つのアングル材３，４をボルト締めする保護カバーの取付構造にあっては、図に示すように、カバー板２を鋼管杭５の防食材６に巻き回した状態において、二つのアングル材３，４が、防食材６の外周長よりも短い寸法でカバー板２に溶融固着されているため、このアングル材３，４の間には隙間Ａを生じる。この状態で二つのアングル材３，４をボルト７とナット８で周方向に締め付ければ、カバー板２のオーバーラップしている端部２ａ，２ｂが、単に防食材６を軽く抑える程度で、完全に防食材６に密圧着されていない自由端となっているため、カバー板２は、ボルト７とナット８の締め付け力の反動によって、アングル部材３，４の付け根部分に浮き上がりが生じ、この浮き上がりによってできた隙間部分Ｄから、海水が防食材６に浸透し、防食材６に含浸されている防錆剤が流出して、短期間で防食効果が失われるという問題が未解決である。
【００１６】
また、図５に示した一対の二つ割りカバー本体９をボルト締めする保護カバーの取り付け構造にあっては、腹部（中央部）９ａからフランジ部１０に近づくにつれて、フランジ部１０の付け根部分９ｂの肉厚を、次第に厚肉となるよう調整して、本体カバー９の形成しなければならず、本体カバー９の形成が困難であると共に、製造コストが高騰するという問題があった。また、このように腹部９ａからフランジ部１０に近づくにつれて次第にフランジ部１０の付け根部分９ｂの肉厚が厚肉となる本体カバー９にあっては、ボルト７とナット８で締め付けた際に生じる応力が、フランジ部１０の締め付け面とフランジ部１０が起立設した付け根部分９ｂに集中し、この応力が集中するフランジ部１０と付け根部分９ｂを、該応力に耐え得る程度の厚肉となるように増強しなければならないという問題を生じる。更に、一対の二つ割りカバー本体９の両端に起立したフランジ部１０の双方をボルト７とナット８で締め付ける必要があるため、鋼管杭５の防食材６の全周囲に巻き回した状態の保護カバーと比較し、ボルト締めする箇所が多くなり、現場施行に時間がかかるという問題が未解決であった。
【００１７】
図６，７に示されるものにあっては、重大な２つの欠点がみられるものである。
すなわち、保護カバーの端部１１ａ，１１ｂは、他の部に比して厚くなっているとは云え、版側端であり装着時に皺が生じることを避け得ない。しかして、設計通りに長孔１４とナット１３とを一致させることは至難である。また、ボルト１２の外気露呈は、錆による頻繁なメンテを強いる。
【００１８】
図８，９に示されるものにあっても、同様といえる。
つまり、保護カバー１８の装着時の皺の発生は、回避し得ず、そこからのシート状発泡材中に浸水するが、この水が固定具２０を内側から錆させる。そのため、実際の施工にあっては、カバーラップ部に長尺の押え治具を当てがい、ラッシングベルトにて締め付けた後、ボルト止め、リベット打ちをとり行なわねばならないと云う煩わしさがある。
【００１９】
本発明は、叙上の事情に鑑みなされたもので、既述の列挙の全ての不都合を全く解消し得る柱状体の保護カバー取付構造を提供することを目的とする。
【課題を解決するための手段】
【００２０】
請求項１に記載した発明は、保護カバーを柱状体または該柱状体上の防食材周囲に巻き回し締め付け固定する柱状体の保護カバー取付構造において、柱状体または該柱状体上の防食材周囲に巻き回した保護カバーの重ね合わせ部の外側端部の剛性を高くすること、該保護カバーの重ね合わせ部に係止具を貫通させること、係止具を貫通させた後に該係止具の先端部を拡張させると重ね合わさった保護カバーどうしが密着させられること、これにより保護カバーが柱状体に締め付けられ固定される保護カバー取付構造にある。
すなわち、保護カバーが柱状体または該柱状体上の防食材周囲に密着するように、該保護カバーにテンションを掛けつつ巻き回し、剛性を高くした端部を他端部の上に被せて保護カバーの両端を重ね合わせる。保護カバーの重ね合わせ部に適当な間隔で孔を貫通させ、そこにリベットのように外圧を加えると端部が拡張される係止具を挿入する。係止具を圧縮して該係止具の端部を貫通孔よりも大きく拡張することにより保護カバーの重ね合わせ部を密着させる。
ここで使用される保護カバーには、鋼、ステンレス鋼、同合金、チタン合金等の金属製や、塩化ビニール、ポリエチレン等の樹脂製あるいはガラス繊維強化プラスチック（ＦＲＰ）、炭素繊維強化プラスチック等、用途に応じて種々の材質を選択することができる。
【００２１】
請求項２に記載した発明は、保護カバーの重ね合わせ部の外側端部が保護カバーと当て板とで一体成型されている柱状体の保護カバー取付構造に特徴を有する。
すなわち、外側端部を保護カバーと当て板部とを一体成型することにより、この部分の厚みを増して剛性を高めたものである。
なお、上記構成のほかに保護カバーの重ね合わせ部の外側端部の剛性を高める方法としては例えば、
（1）保護カバーの端部に該保護カバーと同質又は異質の板を貼り合わせて外側端部を形成する。
（2）保護カバーを合成樹脂製とし外側端部を金属製とするなど、外側端部に保護カバーの他の部分よりも硬い材質のものを使用する。
（3）保護カバーを合成樹脂製とし外側端部となる部分に金属板を埋め込む。等の方法がある。
【００２２】
請求項３に記載した発明は、保護カバーの重ね合わせ部の外側端部に係止具挿入孔が設けられていることに特徴を有する。
【００２３】
請求項４に記載した発明は、係止具挿入孔に充填材が充填されて係止具の露出部が目隠しされていることに特徴を有する。
保護カバーの重ね合わせ部を密着させるために用いる係止具は、鋼、ステンレス鋼、チタン等の金具、プラスチック製品等保護カバーの材質や保護カバーが取付けられる環境に応じて適宜選択すれば良い。しかし、例えば本保護カバー構造が港湾構造物の基礎鋼管防食保護カバーとして用いられる場合に、係止具が鋼またはステンレス鋼製であると海水により腐食するおそれがあるので露出部分をシールすることが望ましい。なお、充填材を水中で充填する場合には水中硬化型エポキシ樹脂等を用いることが好ましい。孔中充填の水中硬化型エポキシ樹脂は、外力から保護された態様となるために、極めて長持ちし得る利点を有している。
【００２４】
請求項５に記載した発明は、保護カバーと柱状体または該柱状体上の防食材との間に緩衝材が介挿入されていることに特徴を有する。緩衝材としては、例えば発泡ポリエチレン、発泡ポリウレタン、発泡ポリスチレン等を用いることができる。
【００２５】
請求項６に記載した発明は、保護カバーの重ね合わせ部の少なくとも先端部にシール材が介装されていることに特徴を有する。
なお、シール材は保護カバーの重ね合わせ部先端のみならず、重ね合わせ部全体に塗布してもよい。
【００２６】
請求項７に記載した発明は、保護カバーの重ね合わせ部内側の内面に防食材が装着されていることに特徴を有する。
【００２７】
請求項８に記載した発明は、保護カバーの重ね合わせ部の外側端部先端の内面に突起が設けられていることに特徴を有する。
【００２８】
請求項９に記載した発明は、上記柱状体が港湾または河川構造物の鋼管杭である保護カバー取付構造に特徴を有する。
【００２９】
本発明の保護カバー取付構造は電柱、信号灯、建築物や土木構造物基礎柱等の大気中部の化粧または防食用、あるいは、上記構造物の地際部の防食用等広く用いることができる。
なかでも、厳しい腐食環境に晒される桟橋やドルフィン等、港湾または河川構造物の鋼管杭の海面下や飛沫帯等の被覆防食保護カバーとしての使用が最も適している。
【発明の効果】
【００３０】
請求項１に記載した発明にあっては、保護カバーにテンションを掛けると該重ねあわせ部には皺が発生して係止具による保護カバーの密着が困難になる場合が多いが、重ね合わせ部の外側に被せる端部の剛性を高くすることにより、かかる皺の発生を抑えることができるので係止具の挿入・圧縮が容易になり、仕上がりも良くなる。
また、本発明の保護カバー構造にはフランジのような製作に手間の掛かる部分を設ける必要がないので製作が簡単で、かつ、柱状体に取付けても突起部分ができないので取付後の異物の衝突による破損も少なくなる。
【００３１】
請求項２に記載した発明にあっては、剛性付与が容易で便利である。
【００３２】
請求項３に記載の発明にあっては、柱状体または該柱状体上の防食材周囲に巻き回した保護カバーの重ね合わせ部を係止具でを密着させる際に予め外側端部に該係止具挿入孔を設けておけば、保護カバー外側端部にドリル等で適当な間隔で孔を貫通させる作業の手間が省け、また、係止具挿入孔が整然と並べられるので仕上がりもきれいになる。
【００３３】
請求項４に記載の発明にあっては、係止具の外気露呈が無く、防錆が図られる。
【００３４】
請求項５に記載の発明にあっては、緩衝材を介挿することにより、柱状体または該柱状体上の防食材と保護カバーとの密着性能を向上させることができるほか、保護カバーに異物が衝突した際に衝撃を吸収して該保護カバーの破損を防止することができる。
【００３５】
請求項６に記載の発明にあっては保護カバーの重ね合わせ部先端に介装されたシール材により保護カバー隙間から内部への海水等の浸入を防ぐことができるので係止具の腐食等を防止することができる。
また、上記したように保護カバーにテンションを掛けつつ柱状体または該柱状体上の防食材周囲に巻き回して保護カバーの両端を重ね合わせ、重ね合わせ部に係止具を挿入し端部を拡張させて保護カバーを固定するが、保護カバーの重ね合わせ面に例えば粘着性のゴム系シール材を塗布することにより係止具で保護カバーを固定するまでの仮止めができるので作業が容易になる。
【００３６】
請求項７に記載の発明にあっては、柱状体または該柱状体上の防食材周囲に密着させた保護カバーの内面に何らかの原因で万一海水が浸入しても。重ね合わせ部内側に飛び出した係止具が腐食しないように該保護カバーの重ね合わせ部内側内面に防食材を装着してあるので、安心である。
【００３７】
請求項８に記載の発明にあっては、保護カバーの重ね合わせ部の外側端部先端の内面に突起を設けることにより、係止具の圧縮により重ね合わさった保護カバーどうしが密着させられる際に上記外側端部先端内面の突起が内側保護カバーに押し付けられるので、先端隙間から内部への海水等の浸入を防ぐことができる。
【発明を実施するための最良の形態】
【００３８】
以下、本発明の保護カバー取付構造の実施形態について、図面に基づいて説明する。図１は、本発明保護カバーの取付構造の展開図を含んだ港湾構造物鋼管杭への取付斜視図であり、図２は図１中囲線Ａ部（該柱状体上の防食材周囲に巻き回した保護カバーの重ね合わせ部を係止具で密着させた状態を示した）の横断面図であり、図３は該柱状体上の防食材周囲に巻き回した保護カバーの重ね合わせ部の外側端部先端の内面に突起２３を設けた状態を示した図１中の囲線Ａ部横断面図である。
鋼管杭５の外周にはあらかじめ、タンニン等の下地処理材を塗布した後、ペトロラタム系ペーストテープ２４を巻き付け、さらにペトロラタム系防食テープ２５を巻き付けてペトロラタム防食層２６が設けられる。
保護カバー３０内面には先端部を除いて、発泡ポリエチレン製の緩衝材２７が貼り付けられている。なお、保護カバー３０の材質は軟質型ＦＲＰである。
また、保護カバー３０の片端には保護カバーと当て板とを一体成型して厚く構成し、外面大径の内面小径の段付き孔からなる係止具挿入孔２８を形成した外側端部２９が設けられている。
また、外側端部２９と反対側の保護カバー３０の端部内面にはペトロラタム防食テープ３２が接着されている。
【００３９】
次に保護カバー取付の工程を説明する。まず外側端部２９の緩衝材２７が貼り付けられていない部分にゴム系シール材３１を塗布した後、該ゴム系シール材接塗布面が反対端の保護カバー３０の上に重なるようにぺトロラタム防食層２６の上から巻き付ける。
上記緩衝材２７の上に保護カバー３０を巻き付けて外側端部２９を保護カバー３０反対側の上に被せ、この周囲に約５０ｃｍの間隔でラッシングベルトを掛けて締め付け保護カバー３０を仮止めしておく。
【００４０】
次に外側端部２９の係止具挿入孔２８の小径孔にドリル刃を合わせ外側端部２９下の保護カバー３０に孔を空け、各孔にリベットピン３３を差し込む。
リベットガン等を用いてリベットピン３３を圧縮すると図２に示すようにリベットピン３３の先端部が拡張され、外側端部２９と保護カバー３０との重ね合わせ部分が密着される。
【００４１】
次にリベットピン３３により外側端部２９と保護カバー３０とが接合された係止具挿入孔２８に充填剤３４を充填しリベットピン３３頭部をシールする。
さらに、保護カバー３０の上端がコンクリート構造物下面と当たる部分には、鋼管５からの錆汁がたれないように上端部シール材３５によりシールする。
また、保護カバー３０の下端と鋼管５との境目は水中硬化型エポキシ樹脂等によりシールするとともに、下部固定金具３６を取り付けて保護カバー３０の脱落防止を図る。  保護カバー３０の仮止めに掛けておいたラッシングベルトは保護カバー取付後取り外す。
【産業上の利用可能性】
【００４２】
保護カバー構造が簡単であるので現場施工も容易であって、且つ、保護カバー構造に隙間が発生しにくい構造のために防食材に含浸されている防錆剤の流出を防止し、長期に亘って安定した防食効果が得られるので、メンテの困難な条件下にある鋼管杭等に好適である。
【図面の簡単な説明】
【００４３】
【図１】本発明の保護カバー取付構造の展開詳細図である。
【図２】図１中囲線Ａ部の拡大平断面図である。
【図３】図１中囲線Ａ部の拡大平断面図である。
【図４】従来例の保護カバー取付構造を示す横断面図である。
【図５】他の従来例の保護カバー取付構造を示す横断面図である。
【図６】従来の防食カバーを施した鋼管杭の斜視図である。
【図７】同カバーの鋼管杭を締付けた状態の保護カバーの重ね合わせ部の断面図である。
【図８】従来の保護カバーの仮止め時の断面図である。
【図９】同保護カバーの本止め時の断面図である。
【符号の説明】
【００４４】
１，１１，１８，３０  保護カバー
２  カバー板
２ａ  一端部
２ｂ  他端部
３，４  アングル材
５  鋼管杭
６,１９  防食材
７  ボルト
８，１３  ナット
９  カバー本体
９ａ  腹部（中央部）
９ｂ  付け根部分
１０  フランジ部
１１ａ，１１ｂ  端部
１２  固定ボルト
１４  長孔
１５，１５ａ,１５ｂ  発泡体
１７  ワッシャー
２０  固定具
２１  長尺保護カバー
２２  封止材
２３  突起
２４  ペトロラタム系ペーストテープ
２５  ペトロラタム系防食テープ
２６  ペトロラタム防食層
２７  発泡ポリエチレン製の緩衝材
２８  係止具挿入孔
２９  外側端部
３１  ゴム系シール材
３２  ペトロラタム防食テープ
３３  リベットピン
３４  充填剤
３５  上端部シール材
３６  下部固定金具
【図１】
2005113472.tif 000003
【図２】
2005113472.tif 000004
【図３】
2005113472.tif 000005
【図４】
2005113472.tif 000006
【図５】
2005113472.tif 000007
【図６】
2005113472.tif 000008
【図７】
2005113472.tif 000009
【図８】
2005113472.tif 000010
【図９】
2005113472.tif 000011